(57)【要約】【課題】表示情報から選択された一部の領域の選択情報を拡大表示すること。【解決手段】第１表示画面２１Ａを有する第１表示部と、第２表示画面２１Ｂを有する少なくとも１つの第２表示部と、第１表示画面２１Ａに表示された表示情報から拡大表示すべき一部の領域の選択入力を受け付けるキー入力部３１と、キー入力部３１が選択入力を受け付けた一部の領域の選択情報を拡大して第２表示画面２１Ｂに表示させるよう制御する制御部４０とを備え、制御部４０は、ある一部の領域の選択情報が第２表示画面２１Ｂに既に表示されている状態において、キー入力部３１が新たな領域の選択入力を受け付けた場合、既に表示されている領域の一部、あるいは全部の選択情報と、新たに選択された新たな領域の選択情報とを含む領域の選択情報を拡大して第２表示画面２１Ｂに表示させるよう制御する。【選択図】図３
2012142882.tif 000002
【特許請求の範囲】
【請求項１】
表示情報から選択された一部の領域の選択情報を拡大表示する携帯端末装置であって、
表示情報を表示する第１表示画面を有する第１表示部と、
前記第１表示画面に表示された表示情報から選択された一部の領域の選択情報を拡大表示する第２表示画面を有する少なくとも１つの第２表示部と、
前記第１表示画面に表示された表示情報から拡大表示すべき一部の領域の選択入力を受け付けるキー入力部と、
前記キー入力部が選択入力を受け付けた一部の領域の選択情報を拡大して前記第２表示画面に表示させるよう制御する制御部と
を備え、
前記制御部は、ある一部の領域の選択情報が前記第２表示画面に既に表示されている状態において、前記キー入力部が新たな領域の選択入力を受け付けた場合、既に表示されている領域の一部、あるいは全部の選択情報と、新たに選択された新たな領域の選択情報とを含む領域の選択情報を拡大して前記第２表示画面に表示させるよう制御する
ことを特徴とする携帯端末装置。
【請求項２】
前記キー入力部は、複数のキーから成るテンキーを含み、
前記第１表示画面に表示されている表示情報は、前記テンキーの各キーに対応するように、複数の領域に分割されており、
前記制御部は、前記テンキーの一つ以上のあるキーに対応する領域の選択情報が前記第２表示画面に既に表示されている状態において、前記キー入力部が前記テンキーの新たなキーに対応する領域の選択入力を受け付けた場合、既に表示されている前記テンキーの一つ以上のあるキーに対応する領域の一部、あるいは全部の選択情報と、新たに選択された前記テンキーの新たなキーに対応する新たな領域の選択情報とを含む領域の選択情報を拡大して前記第２表示画面に表示させるよう制御する
ことを特徴とする請求項１に記載の携帯端末装置。
【請求項３】
前記キー入力部は、それぞれ異なる方向に対応する複数の方向キーを含み、
前記制御部は、ある一部の領域の選択情報が前記第２表示画面に既に表示されている状態において、前記キー入力部が前記方向キーに対応する方向の新たな領域の選択入力を受け付けた場合、既に表示されている領域の選択情報と、新たに選択された前記方向キーに対応する方向の新たな領域の選択情報とを含む領域の選択情報を拡大して前記第２表示画面に表示させるよう制御する
ことを特徴とする請求項１又は２に記載の携帯端末装置。
【請求項４】
前記制御部は、
前記第１表示画面に表示された表示情報の一部の領域の選択情報を前記第２表示画面に拡大表示させる際に必要な各種データを格納するデータ格納部
を有する請求項１から３のいずれか一項に記載の携帯端末装置。
【請求項５】
前記データ格納部は、前記第１表示画面に表示された表示情報の一部の領域の選択情報を前記第２表示画面に拡大表示させる際に必要なデータとして、前記第１表示画面に表示される拡大処理を施していない表示データを格納する
請求項４に記載の携帯端末装置。
【請求項６】
前記データ格納部は、前記第１表示画面に表示された表示情報の一部の領域の選択情報を前記第２表示画面に拡大表示させる際に必要なデータとして、表示情報から選択された一部の領域の基準座標を示すデータを格納する
請求項４又は５に記載の携帯端末装置。
【請求項７】
前記データ格納部は、前記第１表示画面に表示された表示情報の一部の領域の選択情報を前記第２表示画面に拡大表示させる際に必要なデータとして、表示情報から選択された一部の領域の拡大率を変更させるパラメータを示すデータを格納する
請求項４から６のいずれか一項に記載の携帯端末装置。
【請求項８】
前記データ格納部は、パラメータを示すデータとして、表示情報から選択された一部の領域の縦、横の幅を示すデータを格納する
請求項７に記載の携帯端末装置。
【請求項９】
前記制御部は、
前記キー入力部が受け付けた入力操作の内容が何の命令を意図するものであるかを判断する入力情報判断部
を更に有する請求項１から８のいずれか一項に記載の携帯端末装置。
【請求項１０】
前記入力情報判断部は、表示情報から選択された一部の領域の基準座標を示すデータを出力する
請求項９に記載の携帯端末装置。
【発明の詳細な説明】
【技術分野】
【０００１】
本発明は、携帯端末装置に関する。特に、本発明は、表示情報から選択された一部の領域の選択情報を拡大表示する携帯端末装置に関する。
【背景技術】
【０００２】
携帯端末は、携帯性の良さが重視されるために、必然的に表示画面も小型化を意図して設計されることが多い。この小さい画面は表示情報によっては、低視力の方や年配の方にとって非常に見づらいものであり、閲覧するためには眼鏡や場合によって虫眼鏡までもが必要とされる。これを改善するため、携帯端末における表示情報拡大方法が各種、以下のとおり開示されている。特許文献１によれば、メニューや画像を表示している場合、カーソルを当ててフォーカスしている箇所が拡大され、尚且つフォーカス前の情報に比べて詳細な情報が表示される。特許文献２では、データの濃淡などから表示情報のある特徴的な座標を数点捉え、これを基準として拡大対象範囲を自動で抽出し、同表示画面の分割表示領域へこれを拡大して表示させる。また、特許文献３は、表示画面にタッチパネルを採用し、ユーザがタッチした座標近傍の拡大対象枠内の表示情報を同画面の他の領域へ拡大して表示させる。この際、ユーザの利き手を設定することで操作性を向上している。また、タッチ部の移動による拡大対象枠や拡大表示領域の重畳が回避されるよう制御されている。更に、拡大表示領域については、表示優先順位を与えることで、なるべく情報量の少ない（拡大表示領域を設けても問題ない）エリアにこれを配置するようにしている。
【０００３】
また、携帯端末以外の情報処理装置においても表示画面を素早く、且つ容易に拡大可能とする、また、これによって操作性を向上させることを目的とした発明が開示されている。特許文献４では、異なる精細度（解像度）の表示装置に対して、アイコン画像の表示サイズが変更されてしまう不具合を改善するために、変更前後のディスプレイの精細度の比率と、アイコンの各種情報が記録されたアイコンテーブルにあるアイコンの表示座標、横幅、高さを用いて、自動的にアイコンを拡大・縮小してディスプレイへ表示することで、ディスプレイの精細度に依存せずに常に同じ大きさのアイコンを表示させることができる。
【０００４】
更に、携帯端末を含めた情報処理端末において表示画面の拡大表示を実行する手段として、表示画面をテンキーの配列に対応させて分割し、テンキーを押下するだけで表示画面上のこのテンキーの配置に対応する分割領域を拡大させる発明が複数開示されている。但し、特許文献５では、拡大率を自由に変更できない、特許文献６では、テンキーが対応する領域でしか拡大対象とする領域を指定できないうえに操作性がやや難解である。また、特許文献７は、対応エリアスケールの設定による拡大率の決定を行うが、扱いがやや難しく希望の拡大倍率へ設定することには慣れが必要と思われる。特許文献８は、表示画面をテンキー配列と対応させているわけではないので直感的な操作が困難である。特許文献９は、テンキーによる対応エリアの拡大表示を可能とするが、その他各種設定が必要であり操作が非常に難解である。
【先行技術文献】
【特許文献】
【０００５】
【特許文献１】特開２００９−１１００１５号公報
【特許文献２】特開２００７−１８０９１４号公報
【特許文献３】特開２００９−１６９４５２号公報
【特許文献４】特開平０８−１３７６５８号公報
【特許文献５】特開２００５−３１６５５８号公報
【特許文献６】特開平０４−１９９３７１号公報
【特許文献７】特開昭６１−１０３１９０号公報
【特許文献８】特開２００２−１２２４４２号公報
【特許文献９】特開２００７−２９９２２０号公報
【発明の概要】
【発明が解決しようとする課題】
【０００６】
しかしながら、特許文献１から９に記載の技術は、通常画面を拡大表示させるにあたり、通常画面が表示されている画面と同じ画面上に新たに拡大表示領域を設けるものである。このため、拡大表示領域を確保する際に通常画面が狭められ、どの範囲を拡大しているのかが非常にわかりにくくなる。また、拡大率の変更がわかりにくく単純な操作で直感的に操作可能な発明および操作方法は、これまで開示されていない。
【０００７】
携帯端末においては、表示情報の一部及び拡大率をユーザに指定させて、それを別の表示領域へ拡大表示させることは可能であった。しかし、通常、携帯端末には、表示画面が１つしか備えられていないため、拡大表示領域は、この画面内の一部に確保されることになる。ただでさえ小型化規制のかかる携帯端末においてその画面を分割し、そこへ拡大表示をした場合、拡大した分だけその小さな画面に表示可能な情報量は削減されてしまうので、拡大表示領域に収まりきらなかった情報については、再度カーソル等を用いて通常画面内で拡大表示させる領域を指定し直さなければならず、手間がかかるうえ視認性が非常に悪い。また、通常表示されている画面の一部を利用して拡大表示を行うことから、たとえ拡大対象枠等で拡大対象領域を常時視覚化していたとしても、画面全体のどこを見ているのかが大変わかりにくくなってしまう。
【課題を解決するための手段】
【０００８】
上記課題を解決するために、本発明の第１の形態によると、表示情報から選択された一部の領域の選択情報を拡大表示する携帯端末装置であって、表示情報を表示する第１表示画面を有する第１表示部と、第１表示画面に表示された表示情報から選択された一部の領域の選択情報を拡大表示する第２表示画面を有する少なくとも１つの第２表示部と、第１表示画面に表示された表示情報から拡大表示すべき一部の領域の選択入力を受け付けるキー入力部と、キー入力部が選択入力を受け付けた一部の領域の選択情報を拡大して第２表示画面に表示させるよう制御する制御部とを備え、制御部は、ある一部の領域の選択情報が第２表示画面に既に表示されている状態において、キー入力部が新たな領域の選択入力を受け付けた場合、既に表示されている領域の一部、あるいは全部の選択情報と、新たに選択された新たな領域の選択情報とを含む領域の選択情報を拡大して第２表示画面に表示させるよう制御する。
【０００９】
なおまた、上記のように発明の概要は、本発明の必要な特徴の全てを列挙したものではなく、これらの特徴群のサブコンビネーションもまた、発明となり得る。
【発明の効果】
【００１０】
以上の説明から明らかなように、この発明においては、ある一部の領域の選択情報が第２表示画面に既に表示されている状態において、キー入力部が新たな領域の選択入力を受け付けた場合、既に表示されている領域の一部、あるいは全部の選択情報と、新たに選択された新たな領域の選択情報とを含む領域の選択情報を拡大して第２表示画面に表示させるようにした。このようにして、この発明によっては、適当なサイズによる拡大対象領域の拡大情報を、ユーザに閲覧させることができる。
【図面の簡単な説明】
【００１１】
【図１】一実施形態に係る携帯端末装置１０の一例を示す図である。
【図２】テンキーの配置に合わせて第１表示画面２１Ａを縦５×横３に１５等分し、それぞれのテンキーＴ１〜Ｔ１５を第１表示画面２１Ａ上の分割領域に１対１対応させた様子を表す説明図である。
【図３】携帯端末装置１０の内部構成を示すブロック図である。
【図４】表示情報拡大処理の動作を表す。
【図５】表示情報拡大処理の動作を表す。
【図６】表示情報拡大処理の動作を表す。
【図７】拡大表示の一例を説明するための図である。
【図８】拡大表示の一例を説明するための図である。
【図９】拡大表示の一例を説明するための図である。
【図１０】拡大表示の一例を説明するための図である。
【図１１】拡大表示の一例を説明するための図である。
【図１２】拡大表示の一例を説明するための図である。
【図１３】拡大表示の一例を説明するための図である。
【図１４】拡大表示の一例を説明するための図である。
【図１５】拡大表示の一例を説明するための図である。
【図１６】拡大表示の一例を説明するための図である。
【図１７】拡大表示の一例を説明するための図である。
【図１８】拡大表示の一例を説明するための図である。
【図１９】拡大表示の一例を説明するための図である。
【図２０】拡大表示の一例を説明するための図である。
【発明を実施するための形態】
【００１２】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１３】
図１は、一実施形態に係る携帯端末装置１０の一例を示す。携帯端末装置１０は、表示情報から選択された一部の領域の選択情報を拡大表示する機能を有する。
【００１４】
携帯端末装置１０は、第１表示部２０Ａ、及び第２表示部２０Ｂの２つの表示部を備えている。第１表示部２０Ａは、第１表示画面２１Ａを表示画面として備えている。同様に、第２表示部２０Ｂは、第１表示画面２１Ａと同等サイズの第２表示画面２１Ｂを表示画面として備えている。ユーザは、２つの表示画面を使用することで、複数のアプリケーションを並行して操作することができる。
【００１５】
また、携帯端末装置１０は、操作部３０を備えている。携帯端末装置１０の操作は、操作部３０にアサインされているキー入力部３１の各種キーから入力することで実行される。すなわち、画面を選択・決定する、あるいは、機能メニューなどのサブメニュー等を利用するためのいわゆるソフトキー部３２（Ｓ０〜Ｓ４；特にＳ０キーを選択キーとする）、数字や文字などの入力に利用されるテンキー部３３（Ｔ１〜Ｔ１５）、及び、補助的なサイドキー３４を有する構成をとる。尚、本実施例の構成では、メイン表示部を２部としているが、これは実施例の構成の一例を示すものであり、メイン表示部の数を制限するものではない。
【００１６】
図２は、テンキーの配置に合わせて第１表示画面２１Ａを縦５×横３に１５等分し、それぞれのテンキーＴ１〜Ｔ１５を第１表示画面２１Ａ上の分割領域に１対１対応させた様子を表す説明図である。本実施例では、第１表示画面２１ＡをＡ〜Ｏの１５領域に分割し、Ｔ１：Ａ、Ｔ２：Ｂ、・・・・・・、Ｔ１５：Ｏと対応付ける（画面の分割を示す点線は、便宜的なもので、実際は表示されない）。また、図示のとおり、これら１５等分された分割領域のうちの１領域の（横，縦）の幅を（ｗ，ｌ）とする。
【００１７】
図３は、携帯端末装置１０の内部構成を示すブロック図である。携帯端末装置１０は、大きく分けると第１表示画面２１Ａ及び第２表示画面２１Ｂ、キー入力部３１、制御部４０から構成されている。第１表示画面２１Ａ、第２表示画面２１Ｂには、キー入力部３１からの入力情報を制御部４０で処理した結果が表示される。制御部４０は、入力情報判断部４１、拡大対象枠表示制御部４２、拡大対象情報表示制御部４３、及び、記憶部５０とで構成されている。入力情報判断部４１は、キー入力部３１から入力されたインプットが何の命令を意図するものであるかを判断し、必要に応じて記憶部５０に保存されている後述の（Ｘ，Ｙ）（拡大対象領域基準座標５２）や（Ｗ，Ｌ）（拡大対象枠設定値５３）を更新し、拡大対象枠表示制御部４２及び拡大対象情報表示制御部４３へ、拡大対象枠及び拡大対象情報の表示に必要となる（Ｘ，Ｙ）を渡す。
【００１８】
拡大対象枠表示制御部４２は、入力情報判断部４１からインプットされた（Ｘ，Ｙ）と、記憶部５０から取得した（Ｗ，Ｌ）をもとに、実際に拡大対象枠を第１表示画面２１Ａへ表示させる。もし、拡大対象枠非表示キーが入力されれば、表示されている拡大対象枠を非表示にする。拡大対象情報表示制御部４３も同様に、入力情報判断部４１から（Ｘ，Ｙ）を受け取り、これと記憶部５０から読み込んだ（Ｗ，Ｌ）を用いて、記憶部５０に別に保存されている表示情報５１（後述）の拡大対象領域（拡大対象枠内に表示される情報）を拡大し、その拡大情報を第２表示画面２１Ｂに表示させる。
【００１９】
記憶部５０には、本実施例の表示情報拡大処理を実行するに際し、必要な各種情報が保存されている。表示情報５１は、拡大処理を施していない通常画面に表示される表示データ（例えば、ｔｘｔ形式の文字データやｂｍｐ形式の画像データ）である。拡大対象領域基準座標５２は、入力情報判断部４１によって拡大対象枠表示制御部４２及び拡大対象情報表示制御部４３へ受け渡される拡大対象領域の基準座標（Ｘ，Ｙ）である。この基準座標は、拡大対象領域の左上の座標を示しており、デフォルトとして、画面中央に位置する分割領域Ｈ（図７）の左上の座標(Ｘ，Ｙ)が保存されている。拡大対象枠設定値５３は、拡大対象領域のサイズ（拡大率）を変更させるパラメータを表す。設定可能なパラメータは、拡大対象領域の（横，縦）の幅（相対座標）で、これを（Ｗ，Ｌ）として保持する。このパラメータ（Ｗ，Ｌ）を設定可能とすることで、拡大対象枠表示制御部４２及び拡大対象情報表示制御部４３は、拡大対象枠、拡大対象情報をそれぞれ表示する際に、（Ｗ，Ｌ）に基づいてそのサイズ（拡大率）を変更し、これを第１表示画面２１Ａ、第２表示画面２１Ｂに表示する。このデフォルト値には、図２や図７のように１５等分した分割領域のうちの１領域の（横，縦）の幅（Ｗ＝ｗ，Ｌ＝ｌ）がそれぞれ保存されている。
【００２０】
次に、図４〜６のフローチャート及び図７〜２０の拡大表示説明図を参照して本発明の実施例の動作について詳細に説明する。
【００２１】
図４〜６は、表示情報拡大処理の動作を表す。今、第１表示画面２１Ａには、適当なアプリケーションソフトが表示されている。ここでまず、ユーザは、この表示情報を拡大し、その情報を第２表示画面２１Ｂへ表示して閲覧するために、表示情報拡大処理を開始する。尚、本実施例における基本的な操作は、
・表示情報拡大処理開始／終了：ソフトキーＳ０長押し
・拡大対象枠、拡大対象情報表示（拡大対象領域の選択）：テンキー部３３（Ｔ１〜Ｔ１５）／方向キー（上下左右）短押し
・拡大対象枠非表示：サイドキー３４短押し
である。つまり、ユーザは表示情報拡大処理を開始するため、最初にＳ０キーを長押しする。また、表示情報拡大処理の終了にもこのＳ０キー長押しを充てる。テンキー部３３（Ｔ１〜Ｔ１５）押下による拡大対象領域の選択は、図２のとおり、Ｔ１：Ａ、Ｔ２：Ｂ、・・・・・・、Ｔ１５：Ｏと対応付けることで実行する。テンキーを押下した際にそれぞれのキー配置に対応した分割領域が拡大対象領域として選択され、拡大対象枠及び拡大対象情報が表示される。また、方向キー（上下左右）押下によるインプットでは、拡大対象領域があらかじめ設定された変更可能なある座標分だけその方向へ平行移動し、移動先の分割領域を新たに拡大対象領域として、この領域に対する拡大対象枠及び拡大対象情報を表示させる。この移動量については、左右方向へ「α」、上下方向へ「β」とし、方向キーが押下される度にその方向へ上記設定値分だけ移動する。更に、拡大対象枠を一時的に非表示にするには、サイドキー３４を押下する。
【００２２】
キー入力部３１からの有効なインプットは、上記に加えて、後述の拡大対象領域を変更する拡大対象領域調整キーがある。このうち、テンキー／方向キー押下によるインプットのみが座標データであり、それ以外のインプットはすべて、それぞれの処理を実行するための命令である。本実施例では、座標原点を表示画面の左上に設定し、これと交差する縦横座標軸を正に取る。テンキー／方向キー押下によってインプットされる入力座標とは、拡大対象領域の左上の座標を示しており、これを（ｘ，ｙ）とする。入力情報判断部４１は、受け取ったインプットがこれらのうち、どれに該当するものかを判断し、必要に応じて記憶部５０に保存されている（Ｘ，Ｙ）（拡大対象領域基準座標５２）や（Ｗ，Ｌ）（拡大対象枠設定値５３）を更新し、拡大対象枠表示制御部４２及び拡大対象情報表示制御部４３へ、拡大対象枠及び拡大対象情報の表示に必要となる基準座標（Ｘ，Ｙ）を渡す。Ｓ０キー長押しによる表示情報拡大処理開始時において、（Ｘ，Ｙ）、（Ｗ，Ｌ）には、それぞれデフォルト値が保存されている。すなわち、（Ｘ，Ｙ）には、画面中央に位置する分割領域Ｈの左上の座標(Ｘ，Ｙ)が、（Ｗ，Ｌ）には、１５等分した分割領域のうちの１領域の（横，縦）の幅（Ｗ＝ｗ，Ｌ＝ｌ）がそれぞれ保存されている（各々について図２、７参照）ため、Ｓ０キー長押しにより表示情報拡大処理を開始すると、まず、拡大表示制御処理（図６参照）が実行される。すなわち、画面中央に位置する分割領域Ｈが拡大対象領域として選択され、拡大対象枠が第１表示画面２１Ａに、拡大対象情報が第２表示画面２１Ｂにそれぞれ表示される（図７）。これは、Ｔ８キーを押下したときと同じ動作となる。
【００２３】
ここで、拡大表示制御処理について述べる。この拡大表示制御処理では、拡大対象枠表示制御部４２及び拡大対象情報表示制御部４３がそれぞれ、拡大対象枠及び拡大対象情報を第１表示画面２１Ａ及び第２表示画面２１Ｂに表示させる。このプロセスは、図６のフローチャートで示される。拡大表示制御処理が開始されると、入力情報判断部４１は、拡大対象枠表示制御部４２及び拡大対象情報表示制御部４３の両者へ（Ｘ，Ｙ）データを渡す。拡大対象枠表示制御部４２及び拡大対象情報表示制御部４３は、ステップＳ２１にてこの（Ｘ，Ｙ）を、ステップＳ２２では（Ｗ，Ｌ）をそれぞれ取得する。更に、拡大対象情報表示制御部４３は、実際に拡大処理を施す表示情報５１もステップＳ２３で読み込む必要がある。これら取得した各種データを用いて、拡大対象枠表示制御部４２は、第１表示画面２１Ａに拡大対象枠を、拡大対象情報表示制御部４３は、拡大対象領域（拡大対象枠内）の表示情報を抜き出し、これを拡大して第２表示画面２１Ｂに、それぞれを表示させる（ステップＳ２４）。
【００２４】
次に、拡大対象領域調整キーを利用した拡大対象領域のサイズ（拡大率）変更処理について説明する。拡大対象領域調整キーとは、テンキー／方向キー押下の間に入力することで、現在拡大表示している拡大情報に対して拡大対象領域を追加、あるいは削減するキーのことである。この拡大対象領域調整キーを利用することで、ユーザは、拡大対象領域のサイズ（拡大率）を自由に且つ素早く変更することが可能となり、自身に適した画面に容易に切り替えて表示情報を閲覧することができる。この拡大対象領域調整キーには、例えばＳ０キーの短押しをアサインする。
【００２５】
今、図７の通り表示情報拡大処理を開始するＳ０キー長押しにより分割領域Ｈが拡大表示されているとき、ステップＳ１１にて拡大対象領域調整キーが入力され、続けてステップＳ１２でテンキー／方向キーが押下されたとする。入力情報判断部４１は、これらの入力を受けて、次に拡大対象領域作成データ更新処理（ステップＳ１３）を実行する。拡大対象領域作成データ更新処理の詳細なフローについては、図５に示す通りとなる。値の更新について、（Ｘ，Ｙ）は前述の通り拡大対象領域の左上の座標であり、原点は表示画面の左上に設定され、座標軸は原点に対して表示画面左方向、下方向をそれぞれ正に取っているため、（ｘ＜Ｘ）または（ｙ＜Ｙ）、もしくは、（ｘ＜Ｘ 且つ ｙ＜Ｙ）の場合にのみ（Ｘ，Ｙ）の更新が発生する。一方、（Ｗ，Ｌ）の値は、現在拡大対象領域として選択されている領域が、サイズが（Ｗ＝ｗ，Ｌ＝ｌ）であるテンキー対応領域であり、この状態から同じテンキーが再度押下されるケースを除けば、必ず更新されることとなる。
【００２６】
拡大対象領域調整キーを利用した新たな拡大対象領域の生成法としては、変更を意図して押下されたキーがテンキー及び方向キーのどちらであるかで異なる。まず、テンキーが押下された場合、このテンキーがどの位置のキーであっても、必ずもとの（Ｘ，Ｙ）が属する分割領域と、新たに押下したテンキーに対応する分割領域の両者を含めた最小の長方形を作るように処理を施すこととする。すなわち、例えば、現在あるテンキーに対応する分割領域の情報が拡大表示されている状態で、このテンキーの位置に対して右隣に位置するテンキーを押下した場合、これら２つの分割領域を合わせた長方形が新たに拡大対象領域として選択される（図１０）。また、もし、右斜め下側に隣接するテンキーが押下されれば、上記同様に２つの分割領域を含めた最小の長方形を拡大対象領域として生成するため、この押下したテンキーに対応する分割領域の上側及び左側に位置する分割領域も拡大対象領域として選択される。
【００２７】
続いて、方向キーの押下による拡大対象領域の生成法を述べる。そもそも本発明における方向キーの役割は、拡大対象領域を移動量（α，β）の分だけ上下左右に移動し、移動先の分割領域を新しく拡大対象領域に変換することである。このため、拡大対象領域調整キーの押下後に方向キーが押下された場合は、それまで選択されていた拡大対象領域に加えて、上下左右方向に（α，β）だけ移動した移動先の分割領域を重ね合わせた領域が新たな拡大対象領域となる。換言すれば、これは、もとの拡大対象領域に対し、左右キーが押下された場合は、縦幅Ｌを変えずに左右方向へαの分だけ（図１１）、上下キーが押下されれば、横幅Ｗはそのままで上下方向へβの分だけ拡大対象領域を広げることを意味する。すなわち、例えば、サイズが（Ｗ，Ｌ）の拡大対象領域に対して右キーが押下されると、拡大対象領域はαだけ右側へ広がり、そのサイズは（Ｗ＋α，Ｌ）となる。上キーが押下されれば、拡大対象領域がβだけ上側に追加され、（Ｗ，Ｌ＋β）のサイズを持つ拡大対象領域が新たに生成される。尚、テンキー／方向キーのいずれが押下された場合でも、（Ｘ，Ｙ）には、変更された拡大対象領域の左上の座標データが採用される。
【００２８】
以上を踏まえ、入力情報判断部４１は、まず、ステップＳ３１にて拡大対象領域調整キーの押下（ステップＳ１１）後の入力（ステップＳ１２）がテンキーによるものか方向キーによるものかを判断する。これがテンキーによる入力であった場合、まず入力情報判断部４１は（Ｗ，Ｌ）を一旦デフォルト値（Ｗ＝ｗ，Ｌ＝ｌ）にリセットする（ステップＳ３２）。続いて、（Ｗ，Ｌ）に更新が生じるかどうかを判断し、必要があれば更新をかける。ステップＳ３３のように（ｘ≠Ｘ 且つ ｙ＝Ｙ）ならば、（Ｗ，Ｌ）は、（Ｗ＝｜Ｘ−ｘ｜＋ｗ，Ｌ）へ更新する必要がある（ステップＳ３４）。ここで、｜Ｘ−ｘ｜は、追加として押下されたテンキーに対応する分割領域の座標データｘとＸの絶対値（座標データの差の値＞０）を表す。同様に、（ｘ＝Ｘ 且つ ｙ≠Ｙ）（ステップＳ３５）であれば、（Ｗ，Ｌ）は、（Ｗ，Ｌ＝｜Ｙ−ｙ｜＋ｌ）（ステップＳ３６）へ、（ｘ≠Ｘ 且つ ｙ≠Ｙ）（ステップＳ３７）であれば、（Ｗ＝｜Ｘ−ｘ｜＋ｗ，Ｌ＝｜Ｙ−ｙ｜＋ｌ）（ステップＳ３８）へとそれぞれ更新がかけられる。
【００２９】
続いて、入力情報判断部４１は、(Ｘ，Ｙ)の更新要否を判断し、必要であれば更新をかける。ステップＳ３９のように（（ｘ＜Ｘ 且つ ｙ＝Ｙ）または（ｘ＜Ｘ 且つ ｙ＞Ｙ））ならば、（Ｘ，Ｙ）は、（Ｘ＝ｘ，Ｙ）（ステップＳ４０）へ更新する必要がある。同様に、（（ｘ＝Ｘ 且つ ｙ＜Ｙ）または（ｘ＞Ｘ 且つ ｙ＜Ｙ））（ステップＳ４１）であれば、（Ｘ，Ｙ）は、（Ｘ，Ｙ＝ｙ）（ステップＳ４２）へ、（ｘ＜Ｘ 且つ ｙ＜Ｙ）（ステップＳ４３）であれば、（Ｘ＝ｘ，Ｙ＝ｙ）（ステップＳ４４）へそれぞれ更新される。ステップＳ３９、Ｓ４１、Ｓ４３以外の（Ｘ，Ｙ）が入力された場合、（Ｘ，Ｙ）の更新は不要のため、実行されない。
【００３０】
次に、ステップＳ１２で方向キーが押下されたときの入力情報判断部４１の処理について説明する。この場合、入力座標データは、（ｘ≠Ｘ 且つ ｙ＝Ｙ）、あるいは、（ｘ＝Ｘ 且つ ｙ≠Ｙ）の二通りしかないので、（Ｗ，Ｌ）は必ず更新される。つまり、ステップＳ４５のように（ｘ≠Ｘ 且つ ｙ＝Ｙ）であれば、（Ｗ，Ｌ）は、（Ｗ＝Ｗ＋α，Ｌ）（ステップＳ４７）へ、（ｘ＝Ｘ 且つ ｙ≠Ｙ）であれば、（Ｗ，Ｌ＝Ｌ＋β）（ステップＳ４６）へとそれぞれ更新される。
【００３１】
（Ｘ，Ｙ）の更新処理についてもテンキーの場合と同様、（ｘ＜Ｘ 且つ ｙ＝Ｙ）（ステップＳ４８）なら、（Ｘ，Ｙ）は、（Ｘ＝ｘ，Ｙ）（ステップＳ４９）へ、（ｘ＝Ｘ 且つ ｙ＜Ｙ）（ステップＳ５０）ならば、（Ｘ，Ｙ＝ｙ）（ステップＳ５１）へとそれぞれ更新されることになる。ステップＳ４８、Ｓ５０以外の（Ｘ，Ｙ）が入力された場合、（Ｘ，Ｙ）の更新は不要のため、実行されない。
【００３２】
ステップＳ１３における拡大対象領域作成データ更新処理が実行されると、拡大表示制御処理（ステップＳ１４）により第１表示画面２１Ａ、第２表示画面２１Ｂへ拡大対象枠および拡大対象情報がそれぞれ表示される。このとき、拡大対象枠表示制御部４２および拡大対象情報表示制御部４３が取得する（Ｘ，Ｙ）および（Ｗ，Ｌ）は、それぞれ更新済みのデータとなる。ステップＳ１４の処理の詳細なフローについては、図６に示す通りだが、本件は既に述べたのでその他詳細事項について、ここでは割愛する。
【００３３】
また、拡大対象領域を示す拡大対象枠が表示された状態において、サイドキー３４が押下されれば、この拡大対象枠を一時的に非表示にすることができる。ユーザは拡大対象枠を非表示とすることで、拡大対象枠の表示によって隠されてしまった情報を、表示情報拡大処理を終了することなく見返すことが可能となる。その後、再度このサイドキー３４を押下することで、拡大対象枠は再び表示される。
【００３４】
最後に、上記で説明してきた本表示情報拡大処理を実行した際の携帯端末装置１０の動作について、図を用いて説明する。
【００３５】
図７で示されるように、今、携帯端末装置１０の第１表示画面２１Ａには表示情報５１が、その上に分割領域Ｈの周囲を囲む拡大対象枠が表示されている。また、同図第２表示画面２１Ｂには、分割領域Ｈの拡大情報が表示されている。この状態からユーザがＴ１キーを押下すると、表示画面は、図８のように分割領域Ａに対する拡大対象枠および拡大対象情報の表示へと変わる。また、図７の状態から右キーを押下すれば、拡大対象領域は、図９のように分割領域Ｈを右方向へαだけ移動したものとなる。図８、図９の動作は、いずれも拡大対象領域調整キーを使用していないため、拡大対象領域のサイズ（拡大率）を示す（Ｗ，Ｌ）は変更されておらず、そのため、表示される拡大情報は拡大率が一定のままである。
【００３６】
次に、図７の状態から拡大対象領域調整キーであるＳ０キー短押し、続けてＴ９キーが押下されたとする。この場合、図１０のように分割領域Ｈに分割領域Iが追加された領域が拡大対象領域として選択される。このため、拡大対象領域のサイズは、（Ｗ＝２ｗ，Ｌ＝ｌ）となり、図示されている通りに、拡大対象領域および拡大対象情報がそれぞれ表示されることとなる。
【００３７】
また、図７の状態から拡大対象領域調整キーであるＳ０キー短押し、続けて右キーが押下されたとする。この場合、図１１のように分割領域Ｈにαだけ右側へ領域が追加された（Ｗ＝ｗ＋α，Ｌ＝ｌ）のサイズを持つ拡大対象領域が新たに生成される。
【００３８】
同様に、図１２は、図１０の状態からＳ０キー短押し、Ｔ１１キーを続けて押下した場合の動作を表し、図１３は、図７の状態からＳ０キー短押し、Ｔ４キーを続けて押下した場合の動作を表し、図１４は、図１３の状態から上キーを押下した場合の動作を表し、図１５は、図１４の状態からＳ０キー短押し、Ｔ９キーを続けて押下した場合の動作を表す。
【００３９】
更に、図１６にて分割領域Ｄ、Ｅ、Ｆを合わせた領域が拡大対象領域として選択されている場合、図１７は、図１６の状態からＳ０キー短押し、Ｔ１２キーを続けて押下した場合の動作を表し、図１８は、図１７の状態からＳ０キー短押し、Ｔ１１キーを続けて押下した場合の動作を表し、図１９は、図１８の状態からＳ０キー短押し、Ｔ７キーを続けて押下した場合の動作を表す。
【００４０】
また、図７にてサイドキー３４が押下された場合、図２０に示すとおり、分割領域Ｈの周囲を囲んでいた拡大対象枠が非表示となる。
【００４１】
本発明の効果は、携帯端末装置において、拡大対象領域のサイズを容易に変更し、変更後の領域の拡大情報を素早く表示させることにある。
【００４２】
その理由は、拡大対象領域調整キーを設け、これを間に挿み、テンキー／方向キーを続けて押下するだけで拡大対象領域を増減することが可能となるからである。本制御方法により、ユーザは適当な拡大対象領域のサイズ（拡大率）で拡大情報を閲覧することができる。
【００４３】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００４４】
１０：携帯端末装置
２０Ａ：第１表示部
２０Ｂ：第２表示部
２１Ａ：第１表示画面
２１Ｂ：第２表示画面
３０：操作部
３１：キー入力部
３２：ソフトキー部
３３：テンキー部
３４：サイドキー
４０：制御部
４１：入力情報判断部
４２：拡大対象枠表示制御部
４３：拡大対象情報表示制御部
５０：記憶部
５１：表示情報
５２：拡大対象領域基準座標
５３：拡大対象枠設定値
【図１】
2012142882.tif 000003
【図２】
2012142882.tif 000004
【図３】
2012142882.tif 000005
【図４】
2012142882.tif 000006
【図５】
2012142882.tif 000007
【図６】
2012142882.tif 000008
【図７】
2012142882.tif 000009
【図８】
2012142882.tif 000010
【図９】
2012142882.tif 000011
【図１０】
2012142882.tif 000012
【図１１】
2012142882.tif 000013
【図１２】
2012142882.tif 000014
【図１３】
2012142882.tif 000015
【図１４】
2012142882.tif 000016
【図１５】
2012142882.tif 000017
【図１６】
2012142882.tif 000018
【図１７】
2012142882.tif 000019
【図１８】
2012142882.tif 000020
【図１９】
2012142882.tif 000021
【図２０】
2012142882.tif 000022